【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
３次元の（３Ｄ）オブジェクトの構築のために２次元の（２Ｄ）データの一部を捕捉することを容易にするシステムであって、
２Ｄ画像を捕捉する装置であって、前記２Ｄ画像は前記装置の方向によって決定される全体像からの有形のオブジェクトを表す、装置を備え、
前記装置が、前記装置によって収集された２つ以上の２Ｄ画像から３Ｄオブジェクトを構築するコンテンツ統合部を含み、前記構築は、各２Ｄ画像に関連付けられた各対応する全体像を調整することに少なくとも部分的に基づき、各対応する全体像は前記装置の方向に依存し、
前記３Ｄオブジェクトのための２Ｄコンテンツを捕捉するために所定の構造に従って２Ｄ画像を捕捉することを指示する助言の一部を提供するナビゲーション・コンポーネントを備え、前記助言の一部は、地理的な位置、全体像、前記装置の角度、前記装置の方向、又は前記装置のズームレベルうちの少なくとも１つを識別し、
前記装置は、前記助言の一部を提供することを容易にするために地理的データを提供する全地球測位システム（ＧＰＳ）コンポーネントを利用する、システム。
【請求項２】
前記コンテンツ統合部は、実質的に同様の画像の一部又は実質的に同様の全体像の一部のうち少なくとも１つを含む２つ以上の２Ｄ画像を調整することにより、前記３Ｄオブジェクトを与える請求項１に記載のシステム。
【請求項３】
前記２Ｄ画像は、写真、デジタル写真、有形のオブジェクトの画像、前記有形のオブジェクトを捕捉する動画のセグメントからのフレーム、又は動画の一部のフレームのうち少なくとも１つである請求項１に記載のシステム。
【請求項４】
前記装置が、デジタルカメラ、ビデオカメラ、カメラ、スマートフォン、携帯機器、ウェブカメラ、モバイル装置、携帯型デジタル端末（ＰＤＡ）、セルラー装置、使い捨てカメラ、装置内の統合されたカメラ、又は画像取り込み能力を備えた計算装置のうちの少なくとも１つである請求項１に記載のシステム。
【請求項５】
前記装置が２Ｄ捕捉要求を分析する評価部をさらに含み、前記２Ｄ捕捉要求は、前記２Ｄ画像を捕捉するためのコンテキストを定義し、新たな３Ｄオブジェクトの作成、３Ｄオブジェクトの改造又は既存の３Ｄオブジェクトの補足のうち少なくとも１つに関連する請求項１に記載のシステム。
【請求項６】
前記評価部は、３Ｄオブジェクトが前記３Ｄ環境内の既存の３Ｄオブジェクト、以前にアクセスされた３Ｄオブジェクト又は新たな３Ｄオブジェクトのうち少なくとも１つであるか否かを確認するために少なくとも１つの３Ｄオブジェクトを遠隔にホストする３Ｄ環境を利用する、請求項５に記載のシステム。
【請求項７】
前記装置は、既存の３Ｄオブジェクトの補足のために少なくとも１つの２Ｄ画像を捕捉し、前記捕捉された２Ｄ画像は既存の３Ｄオブジェクトを補足し、前記３Ｄ環境に通信される請求項６に記載のシステム。
【請求項８】
前記評価部は、既存の３Ｄオブジェクト又は以前にアクセスされた３Ｄオブジェクトの所定の構造を識別し、前記所定の構造は、対応する３Ｄオブジェクトを構築するための、２Ｄコンテンツ及びそのような２Ｄコンテンツの配置を定義する設計図である請求項７に記載のシステム。
【請求項９】
前記コンテンツ統合部は、前記２Ｄ画像内に表示されたコンテンツの評価に少なくとも部分的に基づいて、新たな３Ｄオブジェクトの所定の構造をリアルタイムで作成する請求項８に記載のシステム。
【請求項１０】
前記助言の一部は、音声の一部、動画の一部、ルート、地理的な地図上のルート、１組の地理的な方向、テキストの一部、又はグラフィックの一部のうち少なくとも１つである請求項９に記載のシステム。
【請求項１１】
前記助言の一部は前記装置を介して通信され、前記装置はスピーカー又はディスプレイのうち少なくとも１つをさらに含む請求項１０に記載のシステム。
【請求項１２】
前記装置は、前記助言の一部を提供することを容易にするために方向データを提供する加速度計をさらに含む請求項９に記載のシステム。
【請求項１３】
前記装置は、メタデータの一部を備える３Ｄオブジェクトの構築に関連した捕捉された２Ｄ画像を付加するリアルタイムのタグ付けコンポーネントをさらに含む請求項１に記載のシステム。
【請求項１４】
前記メタデータの一部は、地理的データの一部、著者データの一部、所有者データの一部、セキュリティ・データの一部、時間、日付、角度、全体像、装置データの一部、ズームレベル、ズーム、視点、３Ｄオブジェクト関連データの一部、３Ｄオブジェクト内の位置、３Ｄオブジェクト内の配置、カテゴリー定義、トピック定義、ランキング、人気ランキング、品質ランキング、フレーム・レート、解像度、オブジェクト表現、純粋な閲覧データの一部、本物の閲覧データの一部のうち少なくとも１つである請求項１３に記載のシステム。
【請求項１５】
２次元の（２Ｄ）コンテンツを捕捉する装置内に３次元の（３Ｄ）オブジェクトの構築を組み込むことを容易にする、コンピューターにより実施される方法であって、
装置によって２Ｄコンテンツの一部を捕捉するステップと、
対応する全体像を有する２Ｄコンテンツの２つ以上の部分に少なくとも部分的に基づいて前記２Ｄコンテンツの２つ以上の部分を調整することにより、３Ｄオブジェクトを作成するステップであって、各対応する全体像は前記装置の方向に依存し、前記３Ｄオブジェクトの作成は前記装置内で提供される、３Ｄオブジェクトを作成するステップと、
前記装置内のメタデータの一部を備えた２Ｄコンテンツの前記捕捉された一部を付加するステップと
を備える方法。
【請求項１６】
前記装置によって前記２Ｄコンテンツの一部を捕捉することに関連する要求を受信するステップと、
２Ｄ捕捉モードを決定するために前記要求を評価するステップであって、前記２Ｄ捕捉モードは、既存の３Ｄオブジェクトの改造又は既存の３Ｄオブジェクトの補足のうち少なくとも１つである、要求を評価するステップと、
決定された２Ｄ捕捉モードに部分的に基づいて２Ｄコンテンツの一部を収集するために位置及び全体像に対する助言を提供するステップと
をさらに備える請求項１５に記載の方法。
【請求項１７】
３Ｄオブジェクトの構築のための２Ｄコンテンツの捕捉に基づいて装置の設定を最適化するステップ
をさらに備える請求項１５に記載の方法。
【請求項１８】
２次元の（２Ｄ）画像を捕捉する手段であって、前記２Ｄ画像は、装置の方向によって決定される全体像からの有形のオブジェクトを表す、捕捉する手段と、
前記装置によって収集された２つ以上の２Ｄ画像から３次元の（３Ｄ）オブジェクトを構築する手段であって、前記構築は、各２Ｄ画像に関連した各対応する全体像を調整することに少なくとも部分的に基づく、構築する手段と、
３Ｄオブジェクトの一部を表す２Ｄ画像を捕捉するために地理的な位置に対する助言の一部を生成する手段と、
前記装置上のディスプレイ又は前記装置上のスピーカーのうち少なくとも１つを介して助言の一部を通信する手段と、
前記助言の一部を生成することを容易にするために位置を識別するための全地球測位サービス（ＧＰＳ）コンポーネントを利用する手段と、
前記助言の一部を生成することを容易にするために前記装置の方向を識別するための加速度計を利用する手段と、
メタデータの一部を備えた捕捉された２Ｄ画像を自動的に付加する手段であって、前記メタデータは、地理的な位置、コンテンツ又は３Ｄオブジェクトに対する関係のうち少なくとも１つと関連する、付加する手段と、
前記２Ｄ画像又は前記構築された３Ｄオブジェクトの特性に基づいて前記装置についての装置設定を最適化する手段と
を備える装置。